(57)【要約】【課題】印刷設定の内容変更を複数の印刷ジョブについて個別に簡便な手順で行うこと。【解決手段】インクジェット記録装置のディスプレイに表示したリスト画面で複数の印刷ジョブを選択しても、印刷ジョブの印刷設定の変更内容を指定する詳細設定表示画面２５０を、１つの印刷ジョブずつ順次切り替えてディスプレイに表示させる構成とした。このため、リスト画面のリスト上で印刷設定の内容を変更する対象の印刷ジョブを１つずつ選択し、選択した印刷ジョブの印刷設定の変更内容を指定する操作を、印刷設定の変更対象の印刷ジョブの数だけ繰り返す、という面倒な操作を行わずに、印刷設定の内容変更を複数の印刷ジョブについて個別に簡便な手順で行うことができる。【選択図】図５
2012181589.tif 000002
【特許請求の範囲】
【請求項１】
メモリに蓄積された印刷ジョブの印刷設定の内容変更を受け付ける印刷ジョブ管理方法において、
前記メモリに蓄積された印刷ジョブから前記印刷設定の内容変更対象の印刷ジョブを選択する選択ステップと、
前記選択ステップにおいて印刷ジョブが複数選択された場合に、前記印刷設定の内容変更を受け付ける受付対象の印刷ジョブを前記選択ステップにおいて選択された印刷ジョブとする通常モードから、前記受付対象の印刷ジョブを前記選択ステップにおいて複数選択された個別の印刷ジョブに順次切り換える順次モードに切り替えるモード切替ステップと、
を含むことを特徴とする印刷ジョブ管理方法。
【請求項２】
メモリに蓄積された印刷ジョブの印刷設定の内容変更を受け付ける印刷ジョブ管理装置において、
前記メモリに蓄積された印刷ジョブから前記印刷設定の内容変更対象の印刷ジョブを選択する選択手段と、
前記選択手段により印刷ジョブが複数選択された場合に、前記印刷設定の内容変更を受け付ける受付対象の印刷ジョブを前記選択手段により選択された印刷ジョブとする通常モードから、前記受付対象の印刷ジョブを前記選択手段により複数選択された個別の印刷ジョブに順次切り替える順次モードに移行するモード移行手段と、
前記順次モードにおいて、前記印刷設定の内容変更の受付が終了される毎に、前記受付対象の印刷ジョブを、前記選択手段により複数選択されたうちの一の印刷ジョブから他の一の印刷ジョブに変更させる変更手段と、
を備えることを特徴とする印刷ジョブ管理装置。
【請求項３】
前記メモリは前記印刷ジョブを蓄積する領域を複数有しており、前記選択手段は、印刷ジョブを選択する対象の領域を前記メモリの複数の領域から指定できるように構成されており、前記モード移行手段は、前記選択手段が指定した領域毎に予め定められた優先順位で、移行先とする印刷ジョブを決定することを特徴とする請求項２記載の印刷ジョブ管理装置。
【発明の詳細な説明】
【技術分野】
【０００１】
本発明は、メモリに蓄積されて印刷処理に使用可能な印刷ジョブの印刷設定の内容変更を受け付ける印刷ジョブ管理方法とその装置に関する。
【背景技術】
【０００２】
ネットワーク上の端末をユーザが操作することで、同じネットワーク上のプリンタ装置で印刷処理を行わせるシステムにおいては、端末からの印刷ジョブがメモリに蓄積されてその蓄積順に順次印刷処理される。また、印刷処理後の印刷ジョブについても、再び印刷処理に用いる場合に備えてメモリに蓄積される場合もある。
【０００３】
このようにしてメモリに蓄積される印刷ジョブについては、端末において決定された印刷設定の内容を変更して印刷処理に用いることがある。そのために、メモリに蓄積された印刷ジョブの印刷設定を後から例えばプリンタ側で内容変更できるようにしたものもある。但し、メモリの複数の印刷ジョブについて印刷設定の内容を変更したい場合には、厄介な問題が存在する。
【０００４】
つまり、複数の印刷ジョブの印刷設定を一律に同じ内容に変更する場合は、対象となる複数の印刷ジョブを選択して印刷設定の変更内容を単に入力すれば済むが、印刷ジョブ毎に印刷設定の変更内容が異なる場合は、このやり方では対応できない。万一、１つの印刷ジョブに対する印刷設定の変更内容が他の印刷ジョブの印刷設定にも意図せず適用されてしまうと、ユーザにとって非常に不便である。そのことは、印刷設定の内容を変更する印刷ジョブを複数選択した場合に、印刷設定の内容変更を受け付けないようにした提案が実際に存在することからも明らかである（例えば、特許文献１）。
【先行技術文献】
【特許文献】
【０００５】
【特許文献１】特許第４２１７３５６号公報
【発明の概要】
【発明が解決しようとする課題】
【０００６】
したがって、例えば上述した提案の構成で複数の印刷ジョブの印刷設定を異なる内容に変更したい場合は、印刷処理に用いる印刷ジョブを１つずつ選択して印刷設定の内容変更を行うという手順を繰り返して行わざるを得ない。
【０００７】
本発明は前記事情に鑑みなされたものであり、本発明の目的は、印刷設定の内容変更を複数の印刷ジョブについて個別に簡便な手順で行うことができる印刷ジョブ管理方法と、この方法を実行する際に用いて好適な印刷ジョブ管理装置とを提供することにある。
【課題を解決するための手段】
【０００８】
上記目的を達成するために、請求項１に記載した本発明の印刷ジョブ管理方法は、
メモリ（例えば、図１のＲＡＭ９２や外部記憶装置９３）に蓄積された印刷ジョブの印刷設定の内容変更を受け付ける印刷ジョブ管理方法において、
前記メモリに蓄積された印刷ジョブから前記印刷設定の内容変更対象の印刷ジョブを選択する選択ステップ（例えば、図２のステップＳ１）と、
前記選択ステップにおいて印刷ジョブが複数選択された場合に、前記印刷設定の内容変更を受け付ける受付対象の印刷ジョブを前記選択ステップにおいて選択された印刷ジョブとする通常モード（例えば、図２のステップＳ２９でＮＯの場合）から、前記受付対象の印刷ジョブを前記選択ステップにおいて複数選択された個別の印刷ジョブに順次切り換える順次モード（例えば、図２のステップＳ２３，Ｓ２９でＹＥＳの場合）に切り替えるモード切替ステップ（例えば、図２のステップＳ２５）と、
を含むことを特徴とする。
【０００９】
また、上記目的を達成するために、請求項２に記載した本発明の印刷ジョブ管理装置は、
メモリに蓄積された印刷ジョブの印刷設定の内容変更を受け付ける印刷ジョブ管理装置において、
前記メモリに蓄積された印刷ジョブから前記印刷設定の内容変更対象の印刷ジョブを選択する選択手段（例えば、図２のステップＳ１）と、
前記選択手段により印刷ジョブが複数選択された場合に、前記印刷設定の内容変更を受け付ける受付対象の印刷ジョブを前記選択手段により選択された印刷ジョブとする通常モードから、前記受付対象の印刷ジョブを前記選択手段により複数選択された個別の印刷ジョブに順次切り替える順次モードに移行するモード移行手段（例えば、図２のステップＳ２３，Ｓ２９）と、
前記順次モードにおいて、前記印刷設定の内容変更の受付が終了される毎に、前記受付対象の印刷ジョブを、前記選択手段により複数選択されたうちの一の印刷ジョブから他の一の印刷ジョブに変更させる変更手段（例えば、図２のステップＳ２５）と、
を備えることを特徴とする。
【００１０】
上記発明によれば、印刷設定の内容変更対象の印刷ジョブを複数選択しても、印刷設定の内容変更は各印刷ジョブ別に順次行われることになる。したがって、印刷設定の内容変更対象の印刷ジョブを１つずつ選択し、選択した印刷ジョブの印刷設定の変更内容を指定する操作を、印刷設定の変更対象の印刷ジョブの数だけ繰り返す、という面倒な操作を行わずに、印刷設定の内容変更を複数の印刷ジョブについて個別に簡便な手順で行うことができる。
【００１１】
また、上記発明の印刷ジョブ管理装置において、前記メモリが前記印刷ジョブを蓄積する領域（例えば、図１のＲＡＭ９２や外部記憶装置９３の「処理中」、「指示待ち」、「終了」、「ボックス」の各領域）を複数有しており、前記選択手段が、印刷ジョブを選択する対象の領域を前記メモリの複数の領域の中から指定できるように構成されており、前記モード移行手段が、前記選択手段が指定した領域毎に予め定められた優先順位で、移行先とする印刷ジョブを決定することを特徴とする。
【００１２】
上記発明によれば、複数の印刷ジョブの印刷設定の変更内容を各印刷ジョブ毎に個別に行う際に、印刷ジョブが蓄積されているメモリの各領域毎に印刷ジョブの蓄積順のルールが異なる場合であっても、印刷設定の内容変更を指定する際の順番を規則的な順番に統一させることができる。
【００１３】
なお、上記発明の印刷ジョブ管理装置において、前記順次モードにおいて、前記受付対象の印刷ジョブについて受け付けた印刷設定の内容変更の確定入力が行われた場合に、前記メモリの前記受付対象に関する印刷ジョブの前記印刷設定の内容を、受け付けた変更内容に更新する更新手段と、前記確定入力が行われる前に印刷指令入力が行われた場合に、前記受付対象の印刷ジョブについて受け付けた内容変更の印刷設定による印刷ジョブを印刷処理用に出力する出力手段とをさらに備えることを特徴とする印刷ジョブ管理装置としてもよい。
【００１４】
上記印刷ジョブ管理装置によれば、受け付けた印刷設定の変更内容で受付対象の印刷ジョブに関するメモリの蓄積内容を上書き更新しなくても、受け付けた印刷設定の変更内容に応じた印刷ジョブによる印刷処理を実行させることができる。
【発明の効果】
【００１５】
本発明によれば、印刷設定の内容変更を複数の印刷ジョブについて個別に簡便な手順で行うことができる。
【図面の簡単な説明】
【００１６】
【図１】本発明の一実施形態に係るプリンタネットワークシステムの概略構成を示すブロック図である。
【図２】本発明の一実施形態に係る、図１のインクジェット記録装置のＣＰＵが行う処理の手順を示すフローチャートである。
【図３】図１のインクジェット記録装置のディスプレイにおいて表示されるリスト画面を示す説明図である。
【図４】図１のインクジェット記録装置のディスプレイにおいて表示される詳細設定表示画面を示す説明図である。
【図５】図１のインクジェット記録装置のディスプレイにおいて表示されるプリント中画面を示す説明図である。
【図６】図１のインクジェット記録装置のディスプレイにおいて表示される画面クローズ確認画面を示す説明図である。
【図７】図１のインクジェット記録装置のディスプレイにおいて表示される展開中画面を示す説明図である。
【図８】図１のインクジェット記録装置のディスプレイにおいて表示されるプリント一時停止画面を示す説明図である。
【図９】図１のインクジェット記録装置のディスプレイにおいて表示されるジョブ削除確認画面を示す説明図である。
【図１０】図１のインクジェット記録装置のディスプレイにおいて表示される印刷設定変更保存確認画面を示す説明図である。
【図１１】本発明の他の実施形態に係る、図１のクライアント端末のＣＰＵが行う処理の手順を示すフローチャートである。
【図１２】図１のクライアント端末の出力部において表示されるジョブリスト表示画面を示す説明図である。
【図１３】図１のクライアント端末の出力部において表示されるジョブ詳細表示画面を示す説明図である。
【図１４】図１のクライアント端末の出力部において表示されるジョブ削除確認画面を示す説明図である。
【図１５】図１のクライアント端末の出力部において表示される完了画面を示す説明図である。
【発明を実施するための形態】
【００１７】
以下、本発明の実施形態について図面を参照しながら説明する。
【００１８】
図１は、本発明の印刷ジョブ管理方法を適用した本発明の一実施形態に係るプリンタネットワークシステムの概略構成を示す説明図である。
【００１９】
図１に示すように、本実施形態のプリンタネットワークシステムは、インクジェット記録装置１とクライアント端末１４とを有している。
【００２０】
前記インクジェット記録装置１は、原稿上の原稿画像を読み取って画像信号を出力するスキャナ部１０１と、スキャナ部１０１から出力された画像信号に基づいて記録紙（片面又は両面）に原稿画像を印刷（記録）するプリンタ部１０２と、全体制御用の制御ユニット１０とを備えている。プリンタ部１０２における原稿画像の印刷に使用する記録紙は、不図示の給紙部からプリンタ部１０２を介して不図示の排紙部に搬送される。
【００２１】
図１に示すように、制御ユニット１０の外部インターフェイス部１１には、ローカルエリアネットワークＬＡＮを介して、後述する複数のクライアント端末１４の外部インターフェイス部１５（図１中では、代表して１つのクライアント端末１４についてのみ示している）がそれぞれ接続されている。各クライアント端末１４から制御ユニット１０は、原稿画像の印刷ジョブを受け取る。制御ユニット１０は、受け取った印刷ジョブにより原稿画像のラスタデータを生成する。インクジェット記録装置１は、印刷ジョブにおいて指定された条件で、原稿画像の記録紙への印刷をプリンタ部１０２において実行する。
【００２２】
また、制御ユニット１０にはディスプレイ１１０が接続されている。このディスプレイ１１０は、インクジェット記録装置１の上部に配置されている。このディスプレイ１１０は、スキャナ部１０１にセットした原稿画像を複写印刷する複写モードでインクジェット記録装置１を使用する場合の、複写枚数や複写倍率といった複写条件をユーザが入力する入力操作部等として利用することができる。
【００２３】
上述したプリンタ部１０２に印刷動作を行わせるインクジェット記録装置１の制御ユニット１０は、図１に示すように、ＣＰＵ９０を備える。このＣＰＵ９０は、ＲＯＭ９１に格納されているプログラム及び設定情報に基づいて、ディスプレイ１１０から入力設定される内容に応じたスキャナ部１０１やプリンタ部１０２の動作を制御する。
【００２４】
なお、制御ユニット１０にはＲＡＭ９２が設けられており、ＲＡＭ９２には、クライアント端末１４から制御ユニット１０に入力された印刷ジョブや、ディスプレイ１１０から入力されたコピー時の印刷枚数や各種の設定内容等が随時記憶される。
【００２５】
印刷ジョブは、本実施形態では、「ボックス」と名付けられた領域に記憶される。この他にも、印刷ジョブは、印刷ジョブに対する処理のステータス別に分けた「（印刷）処理中」、「指示待ち」、「（印刷処理）終了」のいずれかの領域にも記憶される。例えば、印刷処理が終了した印刷ジョブは、「ボックス」と「終了」の各領域に記憶される。これらの各領域に記憶された印刷ジョブは、例えば、対象とする印刷ジョブを指定した印刷等の適当なイベントの発生をトリガとして、後述する外部記憶装置９３の対応する領域に転送し、記憶させることができる。したがって、本実施形態では、請求項中のメモリがＲＡＭ９２及び（又は）外部記憶装置９３で構成している。
【００２６】
また、ＲＡＭ９２にはフレームメモリ領域が設けられている。このフレームメモリ領域には、クライアント端末１４から制御ユニット１０に入力された印刷ジョブによってＣＰＵ９０が生成する原稿画像のラスタデータが、プリンタ部１０２に出力されるまでの間、一時的に記憶される。
【００２７】
さらに、制御ユニット１０には外部記憶装置９３が設けられており、この外部記憶装置９３はＣＰＵ９０に接続されている。外部記憶装置９３には、上述したＲＡＭ９２から転送された印刷ジョブを記憶する複数の領域が設けられている。また、外部記憶装置９３には、各種のテーブルやカウンタ等が記憶される。外部記憶装置９３に記憶されるテーブルとしては、例えば、履歴データテーブルがある。
【００２８】
履歴データテーブルは、ＲＡＭ９２又は外部記憶装置９３に記憶されている印刷ジョブ毎に印刷設定の変更履歴を記録したテーブルである。履歴データテーブルで履歴を管理する印刷設定の要素としては、記録紙の印字可能領域（画像位置調整）や印刷に用いる記録紙の用紙トレイ、プリント濃度等がある。この履歴データテーブルの内容はＣＰＵ９０の制御によって周期的に更新される。
【００２９】
上述した制御ユニット１０の制御により、本実施形態のインクジェット記録装置１は、処理や動作に関するモードを切り替えることができる。このモードの一つに、ＲＡＭ９２又は外部記憶装置９３に記憶されている印刷ジョブの印刷設定の内容変更を受け付ける変更モードがある。この変更モードの下の階層には、受け付けた変更内容に印刷設定を変更する対象の印刷ジョブが異なる通常モードと順次モードの２つのモードが存在する。
【００３０】
通常モードは、印刷設定の内容を変更する印刷ジョブを１つ選択した場合に適用される。この通常モードでは、印刷設定の変更内容の入力をディスプレイ１１０の表示画面上で受け付けると、選択した印刷ジョブの印刷設定が受け付けた内容に変更される。一方、順次モードは、印刷設定の内容を変更する印刷ジョブを複数選択した場合に適用される。この順次モードでは、印刷設定の変更内容の入力を受け付けると、複数選択した印刷ジョブのうち一の印刷ジョブの印刷設定が、受け付けた内容に変更される。そして、印刷設定の変更対象が次の一の印刷ジョブに切り替えられて、その印刷ジョブの印刷設定が、変更内容の入力を受け付けた印刷設定に変更される。これを順次繰り返すことで、複数の印刷ジョブの印刷設定を各印刷ジョブ毎に変更することができる。
【００３１】
一方、各クライアント端末１４は、ＰＣ（パーソナルコンピュータ）等によって構成されるものである。このクライアント端末１４は、ＲＯＭ１７に格納された制御プログラムに基づいて各種の処理を実行するＣＰＵ１６と、ＣＰＵ１６のワーキングエリアとして機能するＲＡＭ１８と、キーボードやマウス等から構成される入力部１９と、液晶ディスプレイ等から構成される出力部２０とを備えている。
【００３２】
ＣＰＵ１６には、上述した外部インターフェイス部１５の他に、外部記憶装置２１とディスクドライブ２２とが接続されている。外部記憶装置２１には、原稿画像のデータを生成するためのアプリケーションプログラムの格納領域や、インクジェット記録装置１のプリンタドライバプログラムの格納領域、及び、アプリケーションプログラムを用いて生成された原稿画像のデータファイルを格納するデータベース領域等が確保されている。
【００３３】
また、外部記憶装置２１には、複数の制限情報をユーザのユーザＩＤと関連付けて記憶させる領域がさらに確保されている。各制限情報は、ユーザの印刷要求によってＣＰＵ１６が生成する印刷ジョブの各種印刷設定に対する制限内容を、各ユーザ別に示すものである。この制限情報は、後述する手順によって、インクジェット記録装置１の制御ユニット１０から各クライアント端末１４に入力される。
【００３４】
ＣＰＵ１６は、入力部１９から入力される起動要求にしたがって外部記憶装置２１のアプリケーションプログラムを起動させ、また、入力部１９からのパラメータ入力等により指示された内容の原稿画像のデータを、起動されたアプリケーションプログラム上において生成する。生成された原稿画像のデータは出力部２０において表示出力され、また、入力部１９から保存要求が入力された場合には、外部記憶装置２１の原稿画像のデータのデータベース領域に記憶される。
【００３５】
外部記憶装置２１のデータベース領域に記憶された原稿画像のデータは、アプリケーションプログラムの起動中に入力部１９からの読み出し要求が入力された場合に、外部記憶装置２１から読み出される。読み出された原稿画像のデータは、出力部２０に表示出力することができ、また、アプリケーションプログラム上において加工して新たな原稿画像のデータに生成し直すこともできる。
【００３６】
そして、ＣＰＵ１６は、アプリケーションプログラムの起動中に入力部１９から、アプリケーションプログラムでファイルを開いた原稿画像の印刷要求が入力された場合に、印刷対象の原稿画像の印刷ジョブを生成して、生成した印刷ジョブを外部インターフェイス部１５から制御ユニット１０の外部インターフェイス部１１に出力する。この印刷ジョブは、外部記憶装置２１に格納されたプリンタドライバプログラムをＣＰＵ１６が実行することによって、制御ユニット１０に出力することができる。
【００３７】
プリンタドライバプログラムは、クライアント端末１４のディスクドライブ２２により光学ディスク等のディスク状記録媒体５０から読み取って、外部記憶装置２１にインストールする（記憶させる）ことができる。
【００３８】
ディスク状記録媒体５０のプリンタドライバプログラムが外部記憶装置２１にインストールされると、クライアント端末１４において起動されたアプリケーションプログラム上でデータを生成した原稿画像の印刷要求を入力部１９から入力した際に、ＣＰＵ１６によってプリンタドライバプログラムが起動される。
【００３９】
また、アプリケーションプログラムが起動されていなくても、外部記憶装置２１のデータベース領域にデータが格納された原稿画像の印刷要求を、出力部２０に表示させたＯＳ（オペレーションシステム）のファイル一覧画面において入力部１９により入力すると、その原稿画像のデータを生成するのに用いられたアプリケーションプログラムと共に、プリンタドライバプログラムがクライアント端末１４において起動される。
【００４０】
そして、ＣＰＵ１６は、アプリケーションプログラムによって開かれた印刷対象の原稿画像のファイルデータを用いて、起動されたプリンタドライバプログラムの処理を実行することで、原稿画像の印刷ジョブを生成し制御ユニット１０に出力する。
【００４１】
次に、制御ユニット１０のＣＰＵ９０がＲＯＭ９１のプログラムにしたがって行う処理の手順を、図２のフローチャートを参照して説明する。
【００４２】
まず、インクジェット記録装置１の電源が投入された後、インクジェット記録装置１の電源が切断されるまでの間、ＣＰＵ９０は、図２に示すフローチャートを周期的に繰り返して実行する。具体的には、ＣＰＵ９０は、ディスプレイ１１０に表示される印刷ジョブのリスト画面において印刷ジョブが選択されたか否かを確認する（ステップＳ１）。
【００４３】
図３は、インクジェット記録装置１のディスプレイ１１０に表示される印刷ジョブのリスト画面の一例を示す説明図である。図３中引用符号２００で示す本実施形態のリスト画面は、ＲＡＭ９２や外部記憶装置９３の「ボックス」の領域に記憶されている印刷ジョブのリストを表示する画面である。
【００４４】
リスト上の印刷ジョブは、リスト画面２００の印刷ジョブ名をタッチ操作することで１又は複数選択することができる。また、リスト画面２００の下方にある全て選択ボタン２１０をタッチ操作すると、リスト上の全ての印刷ジョブが選択される。リスト上の印刷ジョブを１つ以上選択すると、リスト上の選択した印刷ジョブ名が着色表示となる。そして、リスト画面２００の下方にある削除ボタン２２０と詳細表示ボタン２３０とがタッチ操作（押下）可能な状態となる。
【００４５】
なお、リスト表示される印刷ジョブは、リスト画面２００の「処理中」、「指示待ち」、「終了」、「ボックス」の各ボタン（タブ）２０１〜２０４をタッチ操作することで、ＲＡＭ９２又は外部記憶装置９３の対応する領域に記憶されている印刷ジョブの内容に切り替えることができる。また、リスト画面２００のリストに表示される印刷ジョブは、リスト脇のスクロールボタン２０５，２０６を操作することでスクロールすることができる。
【００４６】
そして、図２に示すように、ＣＰＵ９０は、リスト画面２００のリスト上の印刷ジョブが選択された場合に（ステップＳ１でＹＥＳ）、リスト画面２００の下方にある削除ボタン２２０と詳細表示ボタン２３０とをタッチ操作（押下）可能とする（ステップＳ３）。そして、ＣＰＵ９０は、詳細表示ボタン２３０がタッチ操作（押下）されたか否かを確認する（ステップＳ５）。
【００４７】
詳細表示ボタン２３０がタッチ操作（押下）されていない場合は（ステップＳ５でＮＯ）、操作されるまでステップＳ５をリピートし、タッチ操作された場合は（ステップＳ５でＹＥＳ）、ディスプレイ１１０に詳細設定表示画面を表示させる（ステップＳ７）。
【００４８】
図４の説明図に示すように、詳細設定表示画面２５０は、図３のリスト画面２００においてリスト上から選択した印刷ジョブの詳細な印刷設定の内容を、１つの印刷ジョブずつ表示する画面である。この詳細設定表示画面２５０がディスプレイ１１０に表示されると、インクジェット記録装置１の処理又は動作に関するモードが変更モードになる。この変更モードでは、詳細設定表示画面２５０に表示されている印刷ジョブについて、詳細設定表示画面２５０のタッチ操作等により詳細設定の内容変更を受け付けることができる。
【００４９】
詳細設定表示画面２５０では、印刷ジョブを実行して印刷処理を行う際に用いる記録紙の印字可能領域（画像位置調整）や、印刷に用いる記録紙の用紙トレイ、プリント濃度等の印刷設定の内容変更を、タッチ操作によって受け付けることができる。受け付けた印刷設定の変更内容は、詳細設定表示画面２５０の表示に反映される。ここで、右上の保存ボタン２６０をタッチ操作すると、受け付けた印刷設定の変更内容がＲＡＭ９２や外部記憶装置９３に上書き保存される。
【００５０】
そのために、図２に示すように、ＣＰＵ９０は、詳細設定表示画面２５０の保存ボタン２６０（図４参照）がタッチ操作（押下）されたか否かを確認する（ステップＳ９）。保存ボタン２６０がタッチ操作（押下）された場合は（ステップＳ９でＹＥＳ）、詳細設定表示画面２５０上で受け付けた印刷設定の変更内容を保存する処理を実行し、受け付けた印刷設定の変更内容をＲＡＭ９２や外部記憶装置９３に上書き保存する（ステップＳ１１）。
【００５１】
また、保存ボタン２６０がタッチ操作されていない場合は（ステップＳ９でＮＯ）、ＣＰＵ９０は、図４に示す詳細設定表示画面２５０の右上のプリントボタン２７０、あるいは、ディスプレイ１１０の近傍の不図示の操作パネル部に設けたプリントキー（図示せず）が操作されたか否かを確認する（ステップＳ１３）。操作されていない場合は（ステップＳ１３でＮＯ）、後述するステップＳ２７に処理を移行する。
【００５２】
プリントボタン２７０又は不図示のプリントキーが操作された場合は（ステップＳ１３でＹＥＳ）、ディスプレイ１１０に現在表示させている詳細設定表示画面２５０を閉じさせ（ステップＳ１５）、閉じさせた詳細設定表示画面２５０に対応する印刷ジョブのプリント（印刷処理）を、閉じさせた詳細設定表示画面２５０に表示された印刷設定の内容で実行させる（ステップＳ１７）。
【００５３】
そして、印刷ジョブのプリント（印刷処理）を実行している間、ディスプレイ１１０にプリント中画面を表示させる（ステップＳ１９）。図５に示すように、プリント中画面３００は、実行されている印刷ジョブの印刷設定の内容や印刷処理の進捗状況を表示する画面である。さらに、図２に示すように、ＣＰＵ９０は、実行させたプリント（印刷処理）が終了した後（ステップＳ２１でＹＥＳ）、リスト画面２００のリスト上で選択した印刷ジョブがまだ残っているか否かを確認する（ステップＳ２３）。
【００５４】
選択した印刷ジョブが残っていない場合は（ステップＳ２３でＮＯ）、一連の処理を終了する。したがって、ステップＳ１で選択された印刷ジョブが１つである場合は、ステップＳ２３でＮＯとなり一連の処理を終了することで、先に説明した通常モードの動作が行われたことになる。一方、選択した印刷ジョブが残っている場合は（ステップＳ２３でＹＥＳ）、次の選択した印刷ジョブの詳細設定表示画面２５０をディスプレイ１１０に表示させた後（ステップＳ２５）、ステップＳ９にリターンする。したがって、ステップＳ１で選択された印刷ジョブが複数である場合は、ステップＳ２３でＹＥＳとなりステップＳ２５の処理を実行することで、先に説明した順次モードの動作が行われたことになる。
【００５５】
なお、ステップＳ２５でディスプレイ１１０に表示させる次の印刷ジョブの詳細設定表示画面２５０は、リスト画面２００（図３参照）の全て選択ボタン２１０で全ての印刷ジョブを選択した場合は、リスト画面２００のリストで次の順番（正順）にある印刷ジョブに対応する詳細設定表示画面２５０となる。
【００５６】
但し、「終了」の領域に記憶されている印刷ジョブのリスト画面２００の全ての印刷ジョブを全て選択ボタン２１０で選択した場合は、例外的に、リスト画面２００のリストで手前の順番（逆順）にある印刷ジョブに対応する詳細設定表示画面２５０となる。これは、「終了」の領域に記憶されている印刷ジョブのリスト画面２００が、「ボックス」を始めとする「終了」以外の領域に記憶されている印刷ジョブのリスト画面２００と異なり、時系列上の新しい順に印刷ジョブがリストされるからである。
【００５７】
また、リスト画面２００のリスト上での印刷ジョブ名のタッチ操作により複数の印刷ジョブを選択した場合、ステップＳ２５でディスプレイ１１０に表示させる次の印刷ジョブの詳細設定表示画面２５０は、選択した順番で次の順番にある印刷ジョブに対応する詳細設定表示画面２５０となる。
【００５８】
ステップＳ１３において、プリントボタン２７０又は不図示のプリントキーが操作されていない場合（ＮＯ）に進むステップＳ２７では、ＣＰＵ９０は、図４に示す詳細設定表示画面２５０の右上の閉じるボタン２８０がタッチ操作（押下）されたか否かを確認する。閉じるボタン２８０がタッチ操作（押下）されていない場合は（ステップＳ２７でＮＯ）、後述するステップＳ３９に処理を移行する。
【００５９】
また、閉じるボタン２８０がタッチ操作された場合は（ステップＳ２７でＹＥＳ）、ＣＰＵ９０は、リスト画面２００のリスト上で選択した印刷ジョブがまだ残っているか否かを確認する（ステップＳ２９）。選択した印刷ジョブが残っていない場合は（ステップＳ２９でＮＯ）、後述するステップＳ３９に移行する。選択した印刷ジョブが残っている場合は（ステップＳ２９でＹＥＳ）、ディスプレイ１１０に画面クローズ確認画面を表示させる（ステップＳ３１）。
【００６０】
図６の説明図に示すように、画面クローズ確認画面３５０は、現在ディスプレイ１１０に表示している印刷ジョブの詳細設定表示画面２５０のみを閉じるか、それとも、この詳細設定表示画面２５０の次及びそれ以降に表示する予定の詳細設定表示画面２５０を含めて全画面を閉じるかを確認する画面である。
【００６１】
そこで、図２に示すように、ＣＰＵ９０は、画面クローズ確認画面３５０のこの画面だけを閉じるボタン３６０がタッチ操作（押下）されたか否かを確認する。この画面だけを閉じるボタン３６０がタッチ操作された場合は（ステップＳ３３でＹＥＳ）、現在ディスプレイ１１０に表示している印刷ジョブの詳細設定表示画面２５０のみを閉じた後（ステップＳ３５）、ステップＳ２３に処理を移行する。
【００６２】
また、この画面だけを閉じるボタン３６０がタッチ操作されていない場合は（ステップＳ３３でＮＯ）、ＣＰＵ９０は、画面クローズ確認画面３５０の全画面を閉じるボタン３７０がタッチ操作（押下）されたか否かを確認する（ステップＳ３７）。全画面を閉じるボタン３７０がタッチ操作された場合は（ステップＳ３７でＹＥＳ）、現在ディスプレイ１１０に表示している印刷ジョブの詳細設定表示画面２５０と、次及びそれ以降に表示する予定の詳細設定表示画面２５０とを全て閉じた後（ステップＳ３９）、一連の処理を終了する。
【００６３】
一方、全画面を閉じるボタン３７０がタッチ操作されていない場合は（ステップＳ３７でＮＯ）、画面クローズ確認画面３５０の取消ボタン３８０がタッチ操作（押下）されたか否かを確認する（ステップＳ３８）。取消ボタン３８０がタッチ操作されていない場合は（ステップＳ３８でＮＯ）、ステップＳ３３にリターンする。取消ボタン３８０がタッチ操作された場合は（ステップＳ３８でＹＥＳ）、ステップＳ９にリターンする。
【００６４】
以上の説明からも明らかなように本実施形態では、図２のフローチャートにおけるステップＳ１が、請求項中の選択手段（選択ステップ）に対応する処理となっている。また、本実施形態では、図２中のステップＳ２３及びステップＳ２９（共にＹＥＳの場合）が、請求項中のモード移行手段に対応する処理となっている。さらに、本実施形態では、図２中のステップＳ２５が、請求項中の変更手段に対応する処理となっている。
【００６５】
また、本実施形態では、図２中のステップＳ９（ＹＥＳ）及びステップＳ１１が、請求項中の更新手段に対応する処理となっている。さらに、本実施形態では、図２中のステップＳ１３（ＹＥＳ）乃至ステップＳ１７の処理が、請求項中の出力手段に対応する処理となっている。
【００６６】
なお、上述した図２のフローチャートにおいて詳細な手順は説明しなかったが、例えば、図３のリスト画面２００で複数の印刷ジョブを選択した状態で、リスト画面２００のプリントボタン２４０、あるいは、不図示のプリントキー（図示せず）を操作した場合は、複数の印刷ジョブのプリント（印刷処理）が順次実行される。このとき、ディスプレイ１１０には、現在プリント中の印刷ジョブに対応する図５のプリント中画面３００が表示される。
【００６７】
そして、１つの印刷ジョブのプリントが終了した場合、次のプリント待ちの印刷ジョブが残っていれば、次にプリントされる印刷ジョブのプリント中画面３００に、ディスプレイ１１０の表示が切り替わる。次のプリント待ちの印刷ジョブがなく、ＲＡＭ９２のフレームメモリ領域に原稿画像のラスタデータを展開中の印刷ジョブがある場合は、図７の説明図に示すように、次にプリントされる印刷ジョブの展開中画面４００に、ディスプレイ１１０の表示が切り替わる。展開中の印刷ジョブもなく、展開待ちの印刷ジョブのみがある場合は、図７の展開中画面４００の左上のタイトルを「待機中」に変えた待機中画面（図示せず）に、ディスプレイ１１０の表示が切り替わる。
【００６８】
また、プリント中画面３００や展開中画面４００、不図示の待機中画面の右上の閉じるボタン３１０，４１０がタッチ操作されると、ディスプレイ１１０の表示が図６の画面クローズ確認画面３５０に切り替わる。そして、取消ボタン３８０がタッチ操作されると、ディスプレイ１１０の表示が、画面クローズ確認画面３５０に切り替わる前の画面に戻る。一方、この画面だけを閉じるボタン３６０や全画面を閉じるボタン３７０がタッチ操作されると、ディスプレイ１１０の表示が、図８のプリント一時停止画面４５０に切り替わる。
【００６９】
プリント一時停止画面４５０の設定変更ボタン４６０がタッチ操作されると、ディスプレイ１１０の表示が図４の詳細設定表示画面２５０に切り替わり、プリントを一時停止した印刷ジョブの印刷設定を変更することができる。なお、詳細設定表示画面２５０のプリントボタン２７０をタッチ操作することで、一時停止した印刷ジョブのプリントを再開することができる。
【００７０】
また、プリント一時停止画面４５０の続行ボタン４７０がタッチ操作されると、ディスプレイ１１０の表示が、プリント一時停止画面４５０又は画面クローズ確認画面３５０に切り替わる前の、プリント中画面３００や展開中画面４００、不図示の待機中画面に戻る。
【００７１】
さらに、プリント一時停止画面４５０の中止ボタン４８０、あるいは、ディスプレイ１１０の近傍の不図示の操作パネル部に設けたストップキー（図示せず）が操作されると、ディスプレイ１１０の表示が、図９のジョブ削除確認画面５００に切り替わる。ジョブ削除確認画面５００のいいえボタン５１０がタッチ操作されると、ディスプレイ１１０の表示がプリント一時停止画面４５０に戻る。ジョブ削除確認画面５００のはいボタン５２０がタッチ操作されると、一時停止した印刷ジョブが削除されて、ディスプレイ１１０の表示が図６の画面クローズ確認画面３５０に戻る。
【００７２】
このように、本実施形態のインクジェット記録装置１によれば、ディスプレイ１１０に表示したリスト画面２００で複数の印刷ジョブを選択しても、印刷ジョブの印刷設定の変更内容を指定する詳細設定表示画面２５０を、１つの印刷ジョブずつ順次切り替えてディスプレイ１１０に表示させる構成とした。
【００７３】
このため、リスト画面２００のリスト上で印刷設定の内容を変更する対象の印刷ジョブを１つずつ選択し、選択した印刷ジョブの印刷設定の変更内容を指定する操作を、印刷設定の変更対象の印刷ジョブの数だけ繰り返す、という面倒な操作を行わずに、印刷設定の内容変更を複数の印刷ジョブについて個別に簡便な手順で行うことができる。
【００７４】
しかも、「処理中」、「指示待ち」、「終了」、「ボックス」の各領域を指定することができるので、各領域に振り分けて蓄積された印刷ジョブ群単位で、複数の印刷ジョブの印刷設定の内容変更を、印刷ジョブ毎にそれぞれ個別に行うことができる。また、印刷設定の内容変更を指定する印刷ジョブの順番を領域別に決まった順番にすることができるので、各領域毎に印刷ジョブの記憶順が異なっている場合に、印刷設定の内容変更を指定する印刷ジョブの順番を規則的な順番（時系列順、古い順等、管理者が臨む順番）に統一することができる。
【００７５】
さらに、詳細設定表示画面２５０の保存ボタン２６０をタッチ操作する前にプリントボタン２７０や不図示のプリントキー（図示せず）を操作すると、詳細設定表示画面２５０上で受け付けた印刷設定の変更内容をＲＡＭ９２や外部記憶装置９３に上書き保存せずに、記録紙へのプリント（印刷処理）に変更した印刷設定を反映させることができる。
【００７６】
なお、上述した実施形態では、ディスプレイ１１０に順番が一番前の選択した印刷ジョブの詳細設定表示画面２５０（図４参照）を表示するものとしたが、不図示の操作パネル部に設けたハードキーによるスクロールキーや、ディスプレイ１１０に表示させた画面上のスクロールキー（いずれも図示せず）を用いて、次以降の順番の選択した印刷ジョブの詳細設定表示画面２５０をディスプレイ１１０に順次切り替え表示させるようにしてもよい。
【００７７】
そのように構成した場合は、選択した印刷ジョブに対応する複数の詳細設定表示画面２５０がディスプレイ１１０に（例えば重なって）表示され、画面を切り替えながら複数の印刷ジョブの印刷設定を変更できることになる。そこで、ある印刷ジョブの詳細設定表示画面２５０において保存ボタン２６０がタッチ操作された場合に、図１０の印刷設定変更保存確認画面５５０をディスプレイ１１０に表示させて、印刷設定の変更を保存する印刷ジョブを選択できるようにしてもよい。
【００７８】
具体的には、印刷設定変更保存確認画面５５０のこの画面の設定変更だけを保存ボタン５６０をタッチ操作した場合は、現在ディスプレイ１１０に表示されている詳細設定表示画面２５０に対応する印刷ジョブのみの印刷設定を、ＲＡＭ９２や外部記憶装置９３に上書き保存する。また、全画面の設定変更を保存ボタン５７０をタッチ操作した場合は、スクロールキーの操作によりディスプレイ１１０に切替表示させることができる全ての詳細設定表示画面２５０に対応する全ての印刷ジョブの印刷設定を、ＲＡＭ９２や外部記憶装置９３に上書き保存する。
【００７９】
また、本実施形態では、インクジェット記録装置１のディスプレイ１１０の操作等によって、複数の印刷ジョブの印刷設定を個別に変更する場合について説明したが、例えば、クライアント端末１４側において、複数の印刷ジョブの印刷設定を個別に変更できる構成とすることもできる。
【００８０】
そこで、クライアント端末１４のＣＰＵ１６がＲＯＭ１７のプログラムにしたがって行う処理の手順を、図１１のフローチャートを参照して説明する。
【００８１】
まず、クライアント端末１４の入力部１９の操作等により印刷ジョブのリスト画面の表示が要求されたものとして、ＣＰＵ１６は、ブラウザを用いてジョブリスト表示画面を出力部２０に表示させる（ステップＳ１０１）。
【００８２】
図１２は、ブラウザを用いてクライアント端末１４の出力部２０に表示されるジョブリスト画面の一例を示す説明図である。図１２中引用符号６００で示す本実施形態のジョブリスト画面は、インクジェット記録装置１のＲＡＭ９２や外部記憶装置９３の「ボックス」の領域に記憶されている印刷ジョブのリストを表示する画面である。
【００８３】
ジョブリスト画面６００に印刷ジョブのリストを表示するのに必要なリスト情報は、ジョブリスト画面６００の表示要求を入力部１９の操作等により行うことで、インクジェット記録装置１のＣＰＵ９０に出力される要求信号により要求される。そして、インクジェット記録装置１のＣＰＵ９０がこの要求信号に呼応してＲＡＭ９２や外部記憶装置９３から読み出した印刷ジョブの蓄積内容からリスト情報が生成されて、ＣＰＵ９０の制御によりクライアント端末１４のＣＰＵ１６に入力される。
【００８４】
ジョブリスト画面６００のリスト上の印刷ジョブは、印刷ジョブ名の横にあるチェックボックスを入力部１９のマウス（図示せず）等によりチェック操作することで１又は複数選択することができる。リスト上の印刷ジョブを１つ以上選択すると、リスト上の選択した印刷ジョブ名が着色表示となる。
【００８５】
なお、リスト表示される印刷ジョブは、ジョブリスト画面６００の「処理中」、「指示待ち」、「終了」、「ボックス」の各タブ６０１〜６０４をクリックすることで、ＲＡＭ９２又は外部記憶装置９３の対応する領域に記憶されている印刷ジョブの内容に切り替えることができる。また、ジョブリスト画面６００のリストに表示される印刷ジョブは、ジョブリスト画面６００の右下のスクロールボタン６０５〜６０８を操作することでスクロールすることができる。
【００８６】
そして、図１１に示すように、ＣＰＵ１６は、ジョブリスト画面６００のリスト上の印刷ジョブが１又は複数選択された状態で、ジョブリスト画面６００の上方にある詳細表示ボタン６１０のテキストリンクを有効とする。そこで、詳細表示ボタン６１０がクリックされると、ＣＰＵ１６は、出力部２０のブラウザによる表示画面をジョブ詳細表示画面に切り替える（ステップＳ３）。
【００８７】
図１３の説明図に示すように、ジョブ詳細表示画面６５０は、図１２のジョブリスト画面６００においてリスト上から選択した印刷ジョブの詳細な印刷設定の内容を、１つの印刷ジョブずつ表示する画面である。ジョブ詳細表示画面６５０の表示内容は、体裁が異なるものの、基本的に、図４を参照して説明したインクジェット記録装置１のディスプレイ１１０に表示される詳細設定表示画面２５０の表示内容を含んでいる。
【００８８】
ジョブ詳細表示画面６５０では、印刷ジョブを実行して印刷処理を行う際に用いる記録紙の印字可能領域（画像位置調整）や、印刷に用いる記録紙の用紙トレイ、プリント濃度等の印刷設定の内容を、プルダウンメニューや増減ボタン等の操作により変更入力することができる。また、ジョブ詳細表示画面６５０には、印刷ジョブを削除するための削除ボタン６６０、印刷ジョブを実行してプリント（印刷処理）させるためのプリントボタン６７０、印刷設定の内容変更を確定させるためのＯＫボタン６８０、及び、印刷設定の内容変更をキャンセルさせるためのキャンセルボタン６９０が設けられている。
【００８９】
そして、図１１に示すように、ＣＰＵ１６は、ジョブ詳細表示画面６５０の削除ボタン６６０がクリックされた場合に、出力部２０のブラウザによる表示画面をジョブ削除確認画面に切り替える（ステップＳ１０５）。
【００９０】
図１４の説明図に示すように、ジョブ削除確認画面７００は、図１３のジョブ詳細表示画面６５０に対応する印刷ジョブの削除の可否を確認する画面である。ジョブ削除確認画面７００には、「削除指示を実行します。よろしいですか？」のメッセージと共に、削除を許可するＯＫボタン７１０と、削除をキャンセルするキャンセルボタン７２０とが表示される。
【００９１】
ジョブ削除確認画面７００のキャンセルボタン７２０がクリックされると、図１１に示すように、ＣＰＵ１６は、ステップＳ１０３にリターンする。ジョブ削除確認画面７００のＯＫボタン７１０がクリックされると、ＣＰＵ１６は、出力部２０のブラウザによる表示画面を完了画面に切り替える（ステップＳ１０７）。
【００９２】
図１５の説明図に示すように、完了画面７５０には、完了した処理の内容を示すメッセージと共に、ＯＫボタン７６０が表示される。なお、この場面で完了画面７５０に表示されるメッセージは、図１４のジョブ削除確認画面７００で許可した印刷ジョブの削除指示をインクジェット記録装置１のＣＰＵ９０に送信した旨の、「削除指示を送信しました。」と言う内容になる。
【００９３】
そして、図１１に示すように、ＣＰＵ１６は、完了画面７５０のＯＫボタン７６０がクリックされた場合に、ジョブリスト画面６００のリスト上で選択した印刷ジョブがまだ残っているか否かを確認する（ステップＳ１０９）。
【００９４】
選択した印刷ジョブが残っていない場合は（ステップＳ１０９でＮＯ）、ステップＳ１０１にリターンし、選択した印刷ジョブが残っている場合は（ステップＳ１０９でＹＥＳ）、次の選択した印刷ジョブのジョブ詳細表示画面６５０をディスプレイ１１０に表示させるために、実質的にステップＳ１０３にリターンする。
【００９５】
なお、ＣＰＵ１６は、ジョブ詳細表示画面６５０のキャンセルボタン６９０がクリックされた場合にも、ステップＳ１０９に移行する。また、ＣＰＵ１６は、ジョブ詳細表示画面６５０のプリントボタン６７０がクリックされた場合には、ジョブ詳細表示画面６５０に表示された印刷設定の変更内容と印刷ジョブとをインクジェット記録装置１のＣＰＵ９０に送信する。そして、出力部２０のブラウザによる表示画面を図１５の完了画面７５０に切り替える。
【００９６】
この場面で完了画面７５０に表示されるメッセージは、ジョブ詳細表示画面６５０に表示された印刷設定の変更内容と印刷ジョブとをインクジェット記録装置１のＣＰＵ９０に送信した旨の、「印刷ジョブを送信しました。」と言う内容になる。
【００９７】
さらに、ＣＰＵ１６は、ジョブ詳細表示画面６５０のＯＫボタン６８０がクリックされた場合には、ジョブ詳細表示画面６５０に表示された印刷設定の変更内容をインクジェット記録装置１のＣＰＵ９０に送信する。そして、出力部２０のブラウザによる表示画面を図１５の完了画面７５０に切り替える。
【００９８】
この場面で完了画面７５０に表示されるメッセージは、ジョブ詳細表示画面６５０に表示された印刷設定の変更内容をインクジェット記録装置１のＣＰＵ９０に送信した旨の、「印刷設定の内容変更を送信しました。」と言う内容になる。
【００９９】
以上の説明からも明らかなように本実施形態では、図１１のフローチャートにおけるステップＳ１０１で出力部２０に表示したジョブリスト画面６００のリスト上で印刷ジョブを選択する手順が、請求項中の選択手段に対応することになる。また、本実施形態では、図１１中のステップＳ１０９（ＹＥＳの場合）が、請求項中のモード移行手段に対応する処理となっている。
【０１００】
さらに、本実施形態では、図１１中のステップＳ１０９でＹＥＳの場合に、実質的にステップＳ１０３に戻る手順が、請求項中の変更手段に対応することになる。また、本実施形態では、図１１中のステップＳ１０３で出力部２０に表示したジョブ詳細表示画面６５０上でＯＫボタン６８０をクリックする手順が、請求項中の更新手段に対応することになる。さらに、本実施形態では、図１１中のステップＳ１０３で出力部２０に表示したジョブ詳細表示画面６５０上でプリントボタン６７０をクリックする手順が、請求項中の出力手段に対応することになる。
【０１０１】
このように構成しても、先の実施形態で説明したのと同様に、選択した複数の印刷ジョブの印刷設定を個別に変更する操作を、印刷設定の変更対象の印刷ジョブの数だけ繰り返す、という面倒な操作を行わずに、簡便な手順で行うことができる。
【０１０２】
なお、上述した実施形態のように印刷設定の内容を変更する対象となる印刷ジョブは、これから印刷処理を行うためにメモリに蓄積された印刷ジョブでもよく、既に印刷処理を終えて再利用のためにメモリに蓄積された印刷ジョブでもよい。
【０１０３】
また、上述した実施形態では、インクジェット方式で原稿画像の印刷を行うインクジェット記録装置１やこれに接続するクライアント端末１４を例に取って説明した。しかし、本発明はインクジェット方式に限らず、電子写真方式や孔版印刷方式等のインクジェット方式以外の方式によるプリンタや、このプリンタに接続されるクライアント端末においても、広く適用することができる。
【符号の説明】
【０１０４】
１  インクジェット記録装置
１０  制御ユニット
１１  外部インターフェイス部
１４  クライアント端末
１５  外部インターフェイス部
１６  ＣＰＵ
１７  ＲＯＭ
１８  ＲＡＭ
１９  入力部
２０  出力部
２１  外部記憶装置
２２  ディスクドライブ
５０  ディスク状記録媒体
９０  ＣＰＵ
９１  ＲＯＭ
９２  ＲＡＭ
９３  外部記憶装置
１０１  スキャナ部
１０２  プリンタ部
１１０  ディスプレイ
２００  リスト画面
２０５，２０６  スクロールボタン
２１０  選択ボタン
２２０  削除ボタン
２３０  詳細表示ボタン
２４０  プリントボタン
２５０  詳細設定表示画面
２６０  保存ボタン
２７０  プリントボタン
２８０  閉じるボタン
３００  プリント中画面
３１０，４１０  閉じるボタン
３５０  画面クローズ確認画面
３６０  この画面だけを閉じるボタン
３７０  全画面を閉じるボタン
３８０  取消ボタン
４００  展開中画面
４５０  プリント一時停止画面
４６０  設定変更ボタン
４７０  続行ボタン
４８０  中止ボタン
５００  ジョブ削除確認画面
５１０  いいえボタン
５２０  はいボタン
５５０  印刷設定変更保存確認画面
５６０  この画面の設定変更だけを保存ボタン
５７０  全画面の設定変更を保存ボタン
６００  ジョブリスト画面
６０１  「処理中」タブ
６０２  「指示待ち」タブ
６０３  「終了」タブ
６０４  「ボックス」タブ
６０５〜６０８  スクロールボタン
６１０  詳細表示ボタン
６５０  ジョブ詳細表示画面
６６０  削除ボタン
６７０  プリントボタン
６８０  ＯＫボタン
６９０  キャンセルボタン
７００  ジョブ削除確認画面
７１０  ＯＫボタン
７２０  キャンセルボタン
７５０  完了画面
７６０  ＯＫボタン
ＬＡＮ  ローカルエリアネットワーク
Ｓ  記録紙
【図１】
2012181589.tif 000003
【図２】
2012181589.tif 000004
【図３】
2012181589.tif 000005
【図４】
2012181589.tif 000006
【図５】
2012181589.tif 000007
【図６】
2012181589.tif 000008
【図７】
2012181589.tif 000009
【図８】
2012181589.tif 000010
【図９】
2012181589.tif 000011
【図１０】
2012181589.tif 000012
【図１１】
2012181589.tif 000013
【図１２】
2012181589.tif 000014
【図１３】
2012181589.tif 000015
【図１４】
2012181589.tif 000016
【図１５】
2012181589.tif 000017